(57)【要約】【課題】発光ダイオードを継続的に発光させる発光回路を設け、且つ蓄光材料を持つバックライト部を具備したことで、常時低消費電力でバックライトを点灯することが可能な表示装置及びこの表示装置を備えた２線式伝送器を提供する。【解決手段】表示装置は、液晶表示パネルと、該液晶表示パネルの背面から光を照射するバックライトとを有する表示装置であって、前記バックライトは、透光性樹脂材料の中に蓄光材料を分散させたバックライト部と、前記バックライト部に発光ダイオードを密係合或は埋め込み、該発光ダイオードを継続的に点滅させる発光回路と、を備えたことである。【選択図】  図１
2008066104.tif 000002
【特許請求の範囲】
【請求項１】
液晶表示パネルと、該液晶表示パネルの背面から光を照射するバックライトとを有する表示装置であって、
前記バックライトは、
透光性樹脂材料の中に蓄光材料を分散させたバックライト部と、
前記バックライト部に発光ダイオードを密係合或は埋め込み、該発光ダイオードを継続的に点滅させる発光回路と、
を備えたことを特徴とする表示装置。
【請求項２】
負荷側から２本の伝送線を介して電源の供給を受けて測定すべき物理量を電気信号に変換し、これをマイクロプロセッサにより信号処理して前記伝送線を介して前記負荷側に電流信号として伝送する２線式伝送器において、
前記マイクロプロセッサにより駆動される液晶表示パネルの背面から光を照射するバックライトを有し、
前記バックライトは、
透光性樹脂材料の中に蓄光材料を分散させたバックライト部と、
前記バックライト部に発光ダイオードを密係合或は埋め込み、該発光ダイオードを継続的に点滅させる発光回路と、
を備えたことを特徴とする表示装置を備えた２線式伝送器。
【発明の詳細な説明】
【技術分野】
【０００１】
本発明は、表示装置及び表示装置を備えた２線式伝送器に関し、詳しくは低消費電力機器に使用する表示装置のバックライトに関する。
【背景技術】
【０００２】
従来技術における表示装置としての、バックライトに蓄光材料を用いたものは、図４に示すように、保持部材２０１により係止されている液晶パネル２０２、この液晶パネル２０２の背面側に設けた所定の間隔を持って配置した両面発光型エレクトロルミネッセンス２０４、この両面発光型エレクトロルミネッセンス２０４の下部側に蓄光塗料２０６を塗布した塗料基板２０７、からなり、液晶パネル２０２は液晶パネル駆動回路２０８ａにより駆動し、エレクトロルミネッセンス２０４はエレクトロルミネッセンス駆動回路２０８ｂにより駆動する。
【０００３】
蓄光塗料２０６を塗布した塗料基板２０７は、非発光時には透明状態にある両面発光型エレクトロルミネッセンス２０４を透過する太陽光線や蛍光灯の人工光のエネルギーを蓄え、暗所では両面発光型のエレクトロルミネッセンス２０４を点灯した時の光エネルギーを蓄え、エレクトロルミネッセンス２０４が消灯した後も液晶パネル２０２の光源となる。
【０００４】
一方、液晶表示装置を備えた２線式伝送器は、図５に示すように、プロセス変数などの物理量を電気信号に変換して伝送する２線式伝送器であり、直流電源Ｉ１から負荷Ｉ２を介して電力が供給される。電気信号は出力端子Ｔ１、Ｔ２を介して伝送線Ｌ１、Ｌ２により電流信号ＩＬとして伝送され、負荷Ｉ２の両端に生じる電圧変化を検出してプロセス変数を知る。
【０００５】
電流信号ＩＬは、例えば、配管中の圧力に対応したレンジに設定された２線式伝送器より４〜２０ｍＡの統一電流に変換されて伝送される。
２線式伝送器の構成は、圧力／差圧などを検出して電気信号に変換するセンサであるＳＲＩと、変換されたアナログ信号はアナログ／デジタル変換器ＡＤＣＩでデジタル信号に変換され、マイクロプロセッサμＰを介してメモリＭＥＭの中のランダムアクセスメモリ（ＲＡＭ）部分に格納される。マイクロプロセッサμＰは、この格納されたデジタル信号を用いてメモリＭＥＭの例えばリードオンリーメモリ（ＲＯＭ）部分に書き込まれた演算手段によりリニアライズなどの所定の演算を実行し、デジタル／アナログ変換器ＤＡＣＩを介して出力回路ＯＰＣに出力する。
【０００６】
一方、マイクロプロセッサμＰでの所定の演算結果は内蔵のモニタＬＣＤ（液晶素子）に必要な桁数でデジタル表示される。出力回路ＯＰＣはデジタル／アナログ変換器ＤＡＣＩでアナログ信号に変換された電圧信号を４〜２０ｍＡの統一された電流信号に変換された電流信号ＩＬに変換して伝送線Ｌ１、Ｌ２を介して負荷Ｉ２に伝送する。また、出力回路ＯＰＣは電流信号ＩＬの一部を用いて２線式伝送器の内部回路の電源を生成する。
【０００７】
２線式伝送器の出力端子Ｔ１にツエナーダイオードＺＤ１が直列に接続されている。２線式伝送器のモニタＬＣＤはマイクロプロセッサμＰから液晶表示素子が駆動される。
この液晶表示素子であるモニタＬＣＤの裏面にはバックライト素子ＢＬＥが配置されている。そして、このバックライト素子ＢＬＥの両端はツエナーダイオードＺＤ１が並列に接続され、更にその並列接続した両端の接続端子Ｃ１、Ｃ２にはスイッチＳＷが並列に接続されている。
【０００８】
以上の構成において、負荷Ｉ２側に設けられた直流電源Ｉ１から電流信号ＩＬが出力端子Ｔ３、Ｔ４を介して伝送されると、この電流信号ＩＬはツエナーダイオードＺＤ１に流されることとなり、この両端に電圧Ｖ２が発生する。この電圧Ｖ２は、例えば発光ダイオード（ＬＥＤ）などが用いられたバックライト素子ＢＬＥの両端に印加され、液晶表示素子であるモニタＬＣＤの裏面を照射する。
【０００９】
このモニタＬＣＤの裏面を照射するバックライト素子ＢＬＥの電源は、基本的には電流信号ＩＬを用いているので、この照射により、２線式伝送器全体の消費電流を増加させることはない。
【特許文献１】特開平０５−２２５４８４号公報（第３頁  第１図）
【特許文献２】特開平０７−３０１７９８号公報（第３頁  第２図）
【発明の開示】
【発明が解決しようとする課題】
【００１０】
しかし、従来技術で説明した表示装置においては、常時バックライトを点灯させることを意図するものではなく、又、バックライトと蓄光塗料を塗布した基材が別体となっているために、必要な空間が増えるという問題がある。
【００１１】
又、従来技術で説明した表示装置を備えた２線式伝送器においては、モニタＬＣＤの裏面を照射するバックライト素子ＢＬＥの電源は、基本的には電流信号ＩＬを用いているので、ツエナーダイオードＺＤ１が接続されていると、この分だけ２線式伝送器で使用し得る出力端子Ｔ３、Ｔ４間の端子電圧が低下する。これにより、電力不足になりバックライト素子ＢＬＥへの充分な発光が得られずモニタＬＣＤの表示が不安定になるという問題がある。
【００１２】
従って、表示装置としては、常時バックライトを点灯させる構成にすること、更にバックライト自身を蓄光材料を用いる構成にすることで、効率よく発光させ、且つ所望の空間を少なくすることに解決しなければならない課題を有する。
【課題を解決するための手段】
【００１３】
上記課題を解決するために、本願発明の表示装置及び表示装置を備えた２線式伝送器は、次に示す構成にしたことである。
【００１４】
（１）表示装置は、液晶表示パネルと、該液晶表示パネルの背面から光を照射するバックライトとを有する表示装置であって、前記バックライトは、透光性樹脂材料の中に蓄光材料を分散させたバックライト部と、前記バックライト部に発光ダイオードを密係合或は埋め込み、該発光ダイオードを継続的に点滅させる発光回路と、を備えたことである。
【００１５】
（２）２線式伝送器は、負荷側から２本の伝送線を介して電源の供給を受けて測定すべき物理量を電気信号に変換し、これをマイクロプロセッサにより信号処理して前記伝送線を介して前記負荷側に電流信号として伝送する２線式伝送器において、前記マイクロプロセッサにより駆動される液晶表示パネルの背面から光を照射するバックライトを有し、前記バックライトは、透光性樹脂材料の中に蓄光材料を分散させたバックライト部と、前記バックライト部に発光ダイオードを密係合或は埋め込み、該発光ダイオードを継続的に点滅させる発光回路と、を備えたことである。
【発明の効果】
【００１６】
本提案によれば、発光ダイオードを継続的に発光させる発光回路を設け、且つ蓄光材料を持つバックライト部を具備したことで、常時低消費電力でバックライトを点灯することが可能になる。
又、バックライト自身の中に蓄光材料を混入したことで、光の強度のより高い状態で蓄光材料に光を当てることができ、効率よい蓄光を実現でき、省スペースも実現可能となる。
更に、バックライトを常時点灯しなくてよいため、長寿命な表示装置を実現できる。
【発明を実施するための最良の形態】
【００１７】
次に、本願発明に係る表示装置及び表示装置を備えた２線式伝送器の実施形態について、図面を参照して説明する。尚、従来技術で説明したものと同じものには同じ符号を付与して説明する。
【実施例１】
【００１８】
本願発明の表示装置は、図１及び図２に示すように、基板１１上に固定用樹脂モールド１２で一定間隔を持って配置してなる液晶表示パネル１３と、この液晶表示パネル１３の背面より光を照射するためのバックライト部１４と、バックライト部１４に設けてある発光ダイオード１７に継続的に点滅させるための矩形状のパルス電圧を発生させる発光回路１５（図２参照）とを設けた構成になっている。
【００１９】
バックライト部１４は、透光性樹脂材料１６で形成され、端部に直列接続した２個の発光ダイオード１７を埋め込み、更に、透光性樹脂材料１６の中に蓄光材料１８を埋め込んで分散させた構成になっている。
２個の発光ダイオード１７は、透光性樹脂材料１６の中に埋め込んだ構成になっているがこれに限定されず、透光性樹脂材料１６の近傍位置或は密係合に配置した構成でもよい。又、発光ダイオード１７の数は２個に限定されない。
この発光ダイオード１７には発光回路１５から継続的に断続的な電圧が供給される構成になっている。
【００２０】
発光回路１５は、矩形状の電圧を発生させるＰＷＭ電圧発生装置１９を備え、この矩形状の電圧をバックライト部１４の発光ダイオード１７に供給することで、バックライト部１４の発光ダイオード１７を継続的に点滅発光させる。
【００２１】
このような構成からなる表示装置において、その動作は、発光回路１５により発光ダイオード１７に電流を断続的に流し、発光ダイオード１７を断続的に点滅発光させる。バックライト部１４に蓄光材料１８がないと、電流を流さないとき（矩形状の電圧を供給しないとき）、発光ダイオード１７は光らず、バックライトとして機能しないが、本発明における蓄光材料１８をバックライト部１４の内部に設けることで、発光時の光を蓄え、発光ダイオード１７がオフ状態の時にも蓄光した光を発光することが可能になる。この発光回路１５の発光させる時間を短くできることから、常時点灯に耐える低消費電力のバックライトが実現できる。
また、バックライト部１４の中に蓄光材料１８を混入したことで、光の強度のより高い状態で蓄光材料１８に光をあてることができ、効率よい蓄光を実現できる。
【実施例２】
【００２２】
次に、本発明の表示装置を備えた２線式伝送器について、図３を参照して説明する。
表示装置を備えた２線式伝送器は、従来技術で説明したものと同様の構成になっており、それは、プロセス変数などの物理量を電気信号に変換して伝送する２線式伝送器であり、直流電源Ｉ１から負荷Ｉ２を介して電力が供給される。
【００２３】
電気信号は出力端子Ｔ１、Ｔ２を介して伝送線Ｌ１、Ｌ２により電流信号ＩＬとして伝送され、負荷Ｉ２の両端に生じる電圧変化を検出してプロセス変数を知る。
電流信号ＩＬは、例えば、配管中の圧力に対応したレンジに設定された２線式伝送器より４〜２０ｍＡの統一電流に変換されて伝送される。
【００２４】
２線式伝送器の構成は、圧力／差圧などを検出して電気信号に変換するセンサであるＳＲＩと、変換されたアナログ信号はアナログ／デジタル変換器ＡＤＣＩでデジタル信号に変換され、マイクロプロセッサμＰを介してメモリＭＥＭの中のランダムアクセスメモリ（ＲＡＭ）部分に格納される。マイクロプロセッサμＰは、この格納されたデジタル信号を用いてメモリＭＥＭの例えばリードオンリーメモリ（ＲＯＭ）部分に書き込まれた演算手段によりリニアライズなどの所定の演算を実行し、デジタル／アナログ変換器ＤＡＣＩを介して出力回路ＯＰＣに出力する。
出力回路ＯＰＣはデジタル／アナログ変換器ＤＡＣ１でアナログ信号に変換された電圧信号を４〜２０ｍＡの統一された電流信号に変換された電流信号ＩＬに変換して伝送線Ｌ１、Ｌ２を介して負荷Ｉ２に伝送する。また、出力回路ＯＰＣは電流信号ＩＬの一部を用いて２線式伝送器の内部回路の電源を生成する。
【００２５】
マイクロプロセッサμＰでの所定の演算結果は表示装置であるモニタＬＣＤ（液晶素子）に必要な桁数でデジタル表示される。
このモニタＬＣＤは表示装置を構成するものであり、マイクロプロセッサμＰからの指示で表示するモニタを構成する液晶表示パネル１３、この液晶表示パネル１３の背面に設けた光を照射するためのバックライト部１４、このバックライト部１４に埋め込まれている発光ダイオード１７に断続的な電圧を供給して点滅発光させるための発光回路１５を備えた構成になっている。
【００２６】
バックライト部１４は、透光性樹脂材料１６で形成され、端部に直列接続した２個の発光ダイオード１７を埋め込み、更に、透光性樹脂材料１６の中に蓄光材料１８を埋め込んで分散させた構成になっている。
【００２７】
２個の発光ダイオード１７は、透光性樹脂材料１６の中に埋め込んだ構成になっているがこれに限定されず、透光性樹脂材料１６の近傍位置或は密係合に配置した構成でもよい。又、発光ダイオード１７の数は２個に限定されない。
この発光ダイオード１７には発光回路１５から継続的に断続的な電圧（矩形状に形成された電圧）が供給される構成になっている。
【００２８】
発光回路１５は、バックライト部１４の発光ダイオード１７を継続的に点滅発光させるための回路でＰＷＭ電圧発生装置を備え、所定の時間光らせて、所定の時間光らせないように、一定周期であるデューテイの電圧を出力する構成になっている。
【００２９】
このような構成からなる表示装置を備えた２線式伝送器において、その表示装置の動作は、発光回路１５により発光ダイオード１７に電流を断続的に流し、発光ダイオード１７を断続的に点滅発光させる。蓄光材料１８がないと、電流を流さないとき、発光ダイオード１７は光らず、バックライトとして機能しないが、本発明における蓄光材料１８をバックライト内に設けることで、発光時の光を蓄え、発光ダイオード１７がオフ時にも光を発光することが可能になる。この発光回路１５の発光させる時間を短くできることから、常時点灯に耐える低消費電力のバックライトが実現できる。
また、バックライト部１４の中に蓄光材料１８を混入したことで、光の強度のより高い状態で蓄光材料１８に光をあてることができ、効率よい蓄光を実現できる。
【産業上の利用可能性】
【００３０】
発光ダイオードを継続的に発光させる発光回路を設け、且つ蓄光材料を持つバックライト部を具備したことで、常時低消費電力でバックライトを点灯することが可能な表示装置及びこの表示装置を備えた２線式伝送器を提供する。
【図面の簡単な説明】
【００３１】
【図１】本願発明の表示装置の主要部分を示した説明図である。
【図２】同、構成を示した説明図である。
【図３】本願発明の表示装置を備えた２線式伝送器を示した説明図である。
【図４】従来技術における表示装置を示した説明図である。
【図５】従来技術における２線式伝送器における表示装置を示した説明図である。
【符号の説明】
【００３２】
１１      基板
１２      固定用樹脂モールド
１３      液晶表示パネル
１４      バックライト部
１５      発光回路
１６      透光性樹脂材料
１７      発光ダイオード
１８      蓄光材料
１９      ＰＷＭ電圧発生装置
Ｉ１      直流電源
Ｉ２      負荷
Ｌ１      伝送線
Ｌ２      伝送線
Ｔ１      端子
Ｔ２      端子
ＩＬ      電流信号
ＳＲＩ    センサ
ＡＤＣＩ  アナログ／デジタル変換器
μＰ      マイクロプロセッサ
ＭＥＭ    メモリ
ＤＡＣＩ  デジタル／アナログ変換器
ＯＰＣ    出力回路
ＬＣＤ    モニタ
【図１】
2008066104.tif 000003
【図２】
2008066104.tif 000004
【図３】
2008066104.tif 000005
【図４】
2008066104.tif 000006
【図５】
2008066104.tif 000007